(57)【要約】  顔検出の精度を向上させ、検出した顔にピントおよび露出を合わせた最適な画像を取得する。本発明の一形態の撮像処理装置（５０）は、被写体を撮像する副撮像部２０が撮像した画像から顔を検出する顔検出部（４０）と、顔の検出結果に基づき、主撮像部（１０）による被写体の撮像を行うように制御する制御部（３０）とを備えている。
2017208991.tif 000002
【特許請求の範囲】
【請求項１】
被写体を撮像する第１撮像部が撮像した画像から顔を検出する顔検出部と、
上記顔検出部による顔の検出結果に基づき、上記第１撮像部とは異なる第２撮像部による被写体の撮像を行うように制御する制御部とを備えていることを特徴とする撮像処理装置。
【請求項２】
上記制御部は、顔検出を行うに適した露出条件となるよう上記第１撮像部を制御し、上記顔検出部による顔の検出結果に基づいて顔に適正露出となるよう上記第２撮像部を制御することを特徴とする請求項１に記載の撮像処理装置。
【請求項３】
上記制御部は、上記第１撮像部の露出を、上記第２撮像部の露出よりも高くすることを特徴とする請求項１または２に記載の撮像処理装置。
【請求項４】
上記第１撮像部は、上記第２撮像部よりも画素数が少ないことを特徴とする請求項１から３までの何れか１項に記載の撮像処理装置。
【請求項５】
上記制御部は、上記第１撮像部が撮像した画像と、上記第２撮像部が撮像した画像とを取得して、これら画像を合成することを特徴とする請求項３に記載の撮像処理装置。
【請求項６】
上記制御部は、上記顔検出部の顔検出結果に基づき上記第１撮像部に設けられた光学系を用いて合焦位置を算出し、算出した合焦位置に上記第２撮像部に設けられた光学系を調整することを特徴とする請求項３に記載の撮像処理装置。
【請求項７】
上記顔検出部には、上記第１撮像部が撮像した画像から笑顔を検出する笑顔検出部が設けられており、
上記制御部は、上記笑顔検出部によって笑顔が検出されたタイミングで、顔に適正露出となるよう上記第２撮像部を制御して撮像させることを特徴とする請求項１から６までの何れか１項に記載の撮像処理装置。
【請求項８】
請求項１から７までの何れか１項に記載の撮像処理装置と、上記第１撮像部と、上記第２撮像部とを備えていることを特徴とする電子機器。
【請求項９】
被写体を撮像する第１撮像部が撮像した画像から顔を検出する顔検出工程と、
上記顔検出工程による顔の検出結果に基づき、上記第１撮像部とは異なる第２撮像部による被写体の撮像を行うように制御する制御工程とを含むことを特徴とする撮像処理方法。
【請求項１０】
コンピュータを請求項１から７までの何れか１項に記載の撮像処理装置における各部として機能させるための撮像処理装置制御プログラム。
【発明の詳細な説明】
【技術分野】
【０００１】
本発明は、撮像処理装置、電子機器、撮像処理方法、撮像処理装置制御プログラムに関する。
【背景技術】
【０００２】
撮像素子から読み出した画像の特徴情報を解析して顔情報を検出する顔検出（顔認識）機能を有するカメラとして、特許文献１に開示された撮像装置が知られている。特許文献１の撮像装置は、測光モードとして評価測光モードと平均測光モードとを設け、ユーザが設定する測光モードに応じて測光処理と露光制御とを行う構成において、評価測光モード設定時であってもオートフォーカス開始前までは平均測光モードで動作する。平均測光モードとすることにより、画面全体の明るさを平均して測光して露出量を制御するため、画面端などの露出が適切でない領域であっても顔検出しやすいというものである。
【先行技術文献】
【特許文献】
【０００３】
【特許文献１】日本国公開特許公報「特開２０１５−１６７３０８号公報（２０１５年９月２４日公開）」
【発明の概要】
【発明が解決しようとする課題】
【０００４】
しかしながら、特許文献１の撮像装置の技術では、動いている被写体を撮影する時など、平均測光モード中には画角内に顔が入っていないが、当該モード後に顔が画角内に入ってきた場合には顔検出ができないという問題が生じる。【０００５】
本発明は、前記の問題点に鑑みてなされたものであり、その目的は、顔検出の精度を向上させ、検出した顔にピントおよび露出を合わせた最適な画像を取得することができる撮像処理装置、電子機器、撮像処理方法、撮像処理装置制御プログラムを提供することにある。
【課題を解決するための手段】
【０００６】
上記の課題を解決するために、本発明の一態様に係る撮像処理装置は、被写体を撮像する第１撮像部が撮像した画像から顔を検出する顔検出部と、上記顔検出部による顔の検出結果に基づき、上記第１撮像部とは異なる第２撮像部による被写体の撮像を行うように制御する制御部とを備えている。【０００７】
また、上記の課題を解決するために、本発明の一態様に係る電子機器は、上述の撮像処理装置と、上記第１撮像部と、上記第２撮像部とを備えている。【０００８】
また、上記の課題を解決するために、本発明の一態様に係る撮像処理方法は、被写体を撮像する第１撮像部が撮像した画像から顔を検出する顔検出工程と、上記顔検出工程による顔の検出結果に基づき、上記第１撮像部とは異なる第２撮像部による被写体の撮像を行うように制御する制御工程とを含む。【０００９】
また、上記の課題を解決するために、本発明の一態様に係る撮像処理装置制御プログラムは、コンピュータを上記撮像処理装置における各部として機能させるための撮像処理装置制御プログラムとしている。
【発明の効果】
【００１０】
本発明の一態様によれば、第１撮像部を常に顔検出のために用いることができるため、顔検出の精度を向上させ、検出した顔にピントおよび露出を合わせた最適な画像を取得することができる。
【図面の簡単な説明】
【００１１】
【図１】本発明に係る撮像処理装置の一形態（実施形態１）の構成を、本発明に係る電子機器の一形態（実施形態１）である二眼式撮像装置の構成とともに示すブロック図である。
【図２】図１の二眼式撮像装置による処理フローチャートを示す図である。
【図３】図１の二眼式撮像装置による処理フローチャートの他の形態（実施形態２）を示す図である。
【図４】図１の二眼式撮像装置による処理フローチャートの他の形態（実施形態３）を示す図である。
【図５】本発明に係る撮像処理装置の他の形態（実施形態４）を、本発明に係る電子機器の一形態（実施形態１）である二眼式撮像装置の構成とともに示すブロック図である。
【発明を実施するための形態】
【００１２】
〔実施形態１〕
以下、本発明の一実施形態について、図１および図２を用いて説明する。なお、本実施形態では、本発明に係る電子機器の一形態として二眼式撮像装置を挙げ、この二眼式撮像装置が、本発明に係る撮像処理装置の一形態を具備している態様について説明する。
【００１３】
図１は、本実施形態１における二眼式撮像装置１（電子機器）の構成を示すブロック図である。
【００１４】
本実施形態１における二眼式撮像装置１は、右眼と左眼の二つの視点から被写体を各々撮像することができるデジタルカメラである。なお、一般に、二つの視点から撮像する撮像装置として、立体映像を作成するものが知られている。本実施形態１の二眼式撮像装置１も主撮像部１０および副撮像部２０を右眼と左眼の二つの視点として用いて立体映像を作成することは可能であるが、後述するように、本実施形態１の二眼式撮像装置１は、二つの撮像部のうちの一方を顔検出用とすることにより、常に顔検出を行って、顔検出の精度を上げて、検出した顔にピントおよび露出を合わせた最適な画像を他方の撮像部を用いて取得する。
【００１５】
そこで、本実施形態１の二眼式撮像装置１は、図１に示すように、主撮像部１０（第２撮像部）と、副撮像部２０（第１撮像部）と、制御部３０および顔検出部４０を有する撮像処理装置５０と、表示部６０とを備えている。
【００１６】
（主撮像部１０および副撮像部２０）
主撮像部１０および副撮像部２０のそれぞれは、光学系および撮像素子（ＣＣＤ(Charge Couple Devices)、ＣＭＯＳ(Complementary Metal-Oxide-Semiconductor)等）により実現することができる。そして、後述するように、主撮像部１０は被写体の撮像を行う撮像用カメラであり、副撮像部２０は顔検出に専ら用いられる顔検出用カメラである。
【００１７】
副撮像部２０は顔検出用カメラであるため、主撮像部１０よりも画素数が小さくても良い。具体的には、主撮像部１０を２０Ｍｐｉｘｅｌ、副撮像部２０を５Ｍｐｉｘｅｌとすることができる。副撮像部２０の画素数を小さくすることによって、コストを削減することができる一方、画素数の多い主撮像部１０によって高画質な画像データを生成することができる。
【００１８】
なお、主撮像部１０および副撮像部２０は、静止画の撮影だけでなく、動画の撮影も可能である。以下では、特記しない限り、静止画の撮影について説明を行う。
【００１９】
（撮像処理装置５０）
撮像処理装置５０は、被写体を撮像する第１撮像部が撮像した画像から顔を検出する顔検出部４０と、顔検出部による顔の検出結果に基づき、副撮像部２０とは異なる主撮像部１０による被写体の撮像を行うように制御する制御部３０とを備えている。
【００２０】
（制御部３０）
制御部３０は、図１に示すように撮影制御部３１および画像処理部３２を有している。
【００２１】
撮影制御部３１は、主撮像部１０および副撮像部２０のそれぞれに対して、露出およびピントの制御信号、並びにタイミング信号（クロックパルス）等を出力する。
【００２２】
画像処理部３２は、顔検出部４０から通知される顔領域情報（顔検出結果）を受け付けるとともに、主撮像部１０から出力された画像データを取得し、画像処理して表示部６０に表示させる。
【００２３】
より具体的には、顔検出部４０が検出した顔領域情報（顔検出結果）が画像処理部３２に通知されるため、画像処理部３２ではその通知に基づいて顔領域に適正な露出およびピントの情報を生成して、撮影制御部３１に出力する。撮影制御部３１は、その情報に基づいて、主撮像部１０の露出およびピントの制御信号を生成し、主撮像部１０に対して出力する。適正な露出およびピントの決定方法は、公知の方法を採用することができる。なお、副撮像部２０の露出およびピントに関しては、露出は顔検出エリアの輝度値(明るさ)、ピントは顔検出エリアのコントラスト値によって決定される。
【００２４】
（顔検出部４０）
顔検出部４０は、副撮像部２０から出力される画像データを取得して、当該データに顔検出処理を行って、画像内に含まれる人物の顔領域を検出する。顔検出処理は、公知のアルゴリズムによって行われる。例えば、公知の特徴点を抽出する処理によって、スルー画像または撮像画像のデータから、眼、鼻、口の各端点、顔の輪郭点等の特徴点を画像から抽出し、これらの特徴点に基づいて、顔領域を検出する。
【００２５】
（表示部６０）
表示部６０は、デジタルカメラに搭載される公知の表示手段を採用することができる。表示部６０には、主に、主撮像部１０が生成した画像データに基づく画像と、その画像上に副撮像部２０によって検出された顔領域が明示された画が表示される。なお、表示部６０は、タッチパネル方式を採用することができ、ユーザ（二眼式撮像装置１の使用者）からの指示を受け付けることもできる。
【００２６】
なお、以上で説明した各構成以外にも、例えば操作ボタンや電源ボタンなどの他の構成が本実施形態１の二眼式撮像装置１に具備されるが、本実施形態１では、それらの構成についての説明は省略し、本発明のポイントとなる構成とそれに関係する構成について説明する。
【００２７】
＜処理フロー＞
本実施形態１の二眼式撮像装置１に設けられた撮像処理装置５０の処理フロー（撮像処理方法）を、図２を用いて説明する。図２は、撮像処理装置５０のフローチャートである。
【００２８】
二眼式撮像装置１において電源が入っている状態において、主撮像部１０および副撮像部２０が被写体を検出する（ステップＳ１０１）と、撮影制御部３１によって、顔検出を行うに適した露出条件となるよう副撮像部２０が制御される。具体的には、主撮像部１０の露出よりも副撮像部２０の露出が高くなるように副撮像部２０が制御される（ステップＳ１０２）。顔検出を行う副撮像部２０の露出を上げることにより、顔検出をしやすくすることができる。副撮像部２０の露出条件が制御されると、ステップＳ１０３に移行する。
【００２９】
ステップＳ１０３（顔検出工程）では、副撮像部２０において生成された被写体の画像データを取得した顔検出部４０によって、画像の中に顔領域が有るか否かが判定される。顔領域が検出されれば（ステップＳ１０３においてＹｅｓ）、処理はステップＳ１０４に移行する。一方、ステップＳ１０３において、副撮像部２０において生成された被写体の画像データを取得した顔検出部４０が、画像の中に顔領域を検出しない（ステップＳ１０３においてＮｏ）場合、ステップＳ１０５に移行する。
【００３０】
ステップＳ１０４（制御工程）では、顔検出部４０から画像処理部３２に顔領域が通知され、撮影制御部３１によって、顔領域について露出が適正となるように主撮像部１０の露出が調整される。
【００３１】
ステップＳ１０５では、主撮像部１０によって生成された被写体の撮像画像データが画像処理部３２によって所定の画素補間処理や色変換処理が施され、表示部６０に表示される。ここで、先のステップＳ１０４において顔領域の露出が適正となるように主撮像部１０が調整されている場合には、ステップＳ１０５では、検出した顔にピントおよび露出を合わせた最適な画像が主撮像部１０から生成される。一方、ステップＳ１０３において顔検出されなかった場合には、ステップＳ１０５では、主撮像部１０の露出およびピントが、撮影制御部３１に設定された露出エリア、ＡＦ検出エリアの情報に基づいて制御され、画像が主撮像部１０から生成される。例えば、露出エリア、ＡＦ検出エリアが共に中央重点の設定になっていれば、画面中央に映った被写体に合わせた露出、ピント位置になる。
【００３２】
このように本実施形態１によれば、副撮像部２０を専ら顔検出のために使用し、被写体の撮像を主撮像部１０によって行うため、従来技術のように、当初は画角内に顔がなかったものの途中から顔が画角内に入った場合であっても当該顔を検出することができる。よって、顔検出の精度を向上させ、検出した顔にピントおよび露出を合わせた最適な画像を取得することができる。
【００３３】
なお、本実施形態１では、右眼に主撮像部１０、左眼に副撮像部２０（右眼に副撮像部２０、左眼に主撮像部１０であっても可）とする二眼式撮像装置１を説明したが、本発明はこれに限定されるものではなく、二つの視点が上下の位置関係をとっていてもよい。
【００３４】
更には、本発明は、三つ以上の視点で被写体を撮像する態様も含まれる。
【００３５】
要するに、本発明は、複数の撮像部のうちの一つを顔検出用とし、その顔検出結果に基づいて他の撮像部によって顔にピントおよび露出があった撮像を行い、最適な画像を得ることができるというものである。
【００３６】
〔実施形態２〕
本発明の他の実施形態について説明する。なお、説明の便宜上、上記実施形態１にて説明した部材と同じ機能を有する部材については、同じ符号を付記し、その説明を省略する。
【００３７】
本実施形態２の二眼式撮像装置１の撮像処理装置５０による撮像処理のフローチャートを図３に示す。なお、本実施形態２の二眼式撮像装置１の主な構成は図１に示した実施形態１の二眼式撮像装置１と相違無い。上記実施形態１のフローチャート（図２）との相違点は、顔領域に適正露出となった主撮像部１０によって被写体の撮像が行われるステップＳ１０５に続いて、ステップＳ１０６が含まれる点にある。
【００３８】
ステップＳ１０６では、ステップＳ１０３において顔領域が検出された時点の副撮像部２０から生成された画像データと、ステップＳ１０５において主撮像部１０から得られた画像データとを合成して、合成画像データを生成する。合成画像データの作成は、画像処理部３２によって行われる。
【００３９】
このように露出の異なる画像を合成することにより、ダイナミックレンジの画像を得ることができる。なお、露出の異なる画像同士の合成方法は、公知の方法を採用することができる。
【００４０】
〔実施形態３〕
本発明の他の実施形態について説明する。なお、説明の便宜上、上記実施形態１にて説明した部材と同じ機能を有する部材については、同じ符号を付記し、その説明を省略する。
【００４１】
本実施形態３の二眼式撮像装置１の撮像処理装置５０による撮像処理のフローチャートを図４に示す。なお、本実施形態３の二眼式撮像装置１の主な構成は図１に示した実施形態１の二眼式撮像装置１と相違無い。上記実施形態１のフローチャート（図２）との相違点は、顔検出を行った後（図２のステップＳ１０３の後）から、主撮像部１０による撮像（図２のステップＳ１０５）までの間の処理フローにある。
【００４２】
図４に、本実施形態３の二眼式撮像装置１の撮像処理装置５０による撮像処理のフローチャートを示す。
【００４３】
本実施形態３においては、顔検出部４０による顔検出が行われる（ステップＳ１０３）とともに、副撮像部２０において生成された被写体の画像データを画像処理部３２が取得して、ＡＦ処理が行われ、副撮像部２０に具備されるレンズの合焦位置が検出される（ステップＳ１０３´）。なお、ステップＳ１０３において顔検出部４０によって顔が検出されなくても、副撮像部２０において生成された被写体の画像データを画像処理部３２が取得して、ＡＦ処理が行われ、レンズの合焦位置が検出される。
【００４４】
そして、ステップＳ１０４において、顔検出部４０から画像処理部３２に顔領域が通知され、撮影制御部３１によって、顔領域について露出が適正となるように主撮像部１０の露出が調整された後、図４に示すステップＳ１０４´に移行する。
【００４５】
ステップＳ１０４´（制御工程）では、ステップＳ１０３´において算出されたレンズの合焦位置に、主撮像部１０に具備されるレンズの位置を動かし、ステップＳ１０５において主撮像部１０による撮像が行われる。
【００４６】
本実施形態３のように、露出が高い副撮像部２０によってＡＦ動作を行うことにより、主撮像部１０による撮像時に低照度であったとしても主撮像部１０においてＡＦのピントが合いやすくなる。
【００４７】
〔実施形態４〕
本発明の他の実施形態について説明する。なお、説明の便宜上、上記実施形態１にて説明した部材と同じ機能を有する部材については、同じ符号を付記し、その説明を省略する。
【００４８】
図５は、本実施形態４における二眼式撮像装置１の構成を示すブロック図である。本実施形態４と上記実施形態１との構成上の違いは、撮像処理装置５０の顔検出部４０の構成にある。
【００４９】
具体的には、本実施形態４の二眼式撮像装置１の撮像処理装置５０は、笑顔検出部４１を有した顔検出部４０を有している。笑顔検出部４１は、副撮像部２０から出力される画像データを取得して、当該データに笑顔検出処理を行って、画像内に含まれる人物の笑顔領域を検出する。笑顔検出処理は、公知のアルゴリズムによって行われる。
【００５０】
そして、笑顔検出部４１は、笑顔を検出すると、検出と同時に、制御部３０の撮影制御部３１にタイミング信号を出力する。
【００５１】
撮影制御部３１は、このタイミング信号を受け取るとそのタイミングで、主撮像部１０による撮像を行うよう主撮像部１０を制御する（ステップＳ１０５）。主撮像部１０では、実施形態１において説明したとおり、顔に適正露出となった撮影が行われる。
【００５２】
〔ソフトウェアによる実現例〕
二眼式撮像装置１の制御ブロック（特に撮像処理装置５０）は、集積回路（ＩＣチップ）等に形成された論理回路（ハードウェア）によって実現してもよいし、ＣＰＵ（Central Processing Unit）を用いてソフトウェアによって実現してもよい。
【００５３】
後者の場合、撮像処理装置５０は、各機能を実現するソフトウェアであるプログラム（撮像処理装置制御プログラム）の命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５４】
なお、上記各実施形態では主撮像部１０から出力された画像データを取得し、画像処理して表示部６０に表示させる場合を例に説明したが、記憶部を具備し、主撮像部１０から出力された画像データを当該記憶部に格納する構成であってもよいし、画像データを表示部に表示するとともに記憶部に格納する構成であってもよい。
【００５５】
また、上記の各実施形態では、ステップＳ１０１において、主撮像部１０および副撮像部２０が被写体を検出する場合を例に説明したが、ステップＳ１０３で顔検出を可能とするためには、少なくとも副撮像部２０が被写体を検出する構成であればよく、主撮像部１０が被写体を検出しない構成であってもよい。
【００５６】
〔まとめ〕
本発明の態様１に係る撮像処理装置５０は、被写体を撮像する第１撮像部（副撮像部２０）が撮像した画像から顔を検出する顔検出部４０と、顔検出部４０による顔の検出結果に基づき、上記第１撮像部（副撮像部２０）とは異なる第２撮像部（主撮像部１０）による被写体の撮像を行うように制御する制御部３０とを備えている。
【００５７】
上記の構成によれば、副撮像部２０を用いて常に顔検出を行う構成であるため、当初は画角内に顔がなかったものの途中から顔が画角内に入った場合であっても当該顔を検出することができる。よって、顔検出の精度を向上させ、検出した顔にピントおよび露出を合わせた最適な画像を取得することができる。
【００５８】
より具体的には、本発明の態様２に係る撮像処理装置５０は、上記態様１において、上記制御部３０は、顔検出を行うに適した露出条件となるよう上記第１撮像部（副撮像部２０）を制御し、上記顔検出部４０の顔検出結果に基づいて顔に適正露出となるよう上記第２撮像部（主撮像部１０）を制御することにより、上述の効果を奏する。
【００５９】
本発明の態様３に係る撮像処理装置５０は、上記態様１または２において、上記制御部３０は、上記第１撮像部（副撮像部２０）の露出を、上記第２撮像部（主撮像部１０）の露出よりも高くする構成であってもよい。
【００６０】
上記の構成によれば、副撮像部２０の露出を高くすることにより、顔検出をしやすくすることができる。
【００６１】
本発明の態様４に係る撮像処理装置５０は、上記態様１から３において、上記第１撮像部（副撮像部２０）は、上記第２撮像部（主撮像部１０）よりも画素数が少ない構成であってもよい。
【００６２】
上記の構成によれば、コストを削減することができる。
【００６３】
本発明の態様５に係る撮像処理装置５０は、上記態様３において、上記制御部３０は、上記第１撮像部（副撮像部２０）が撮像した画像と、上記第２撮像部（主撮像部１０）が撮像した画像とを取得して、これら画像を合成する構成であってもよい。
【００６４】
上記の構成によれば、露出の異なる画像を合成することにより、ダイナミックレンジの広い画像を得ることができる。
【００６５】
本発明の態様６に係る撮像処理装置５０は、上記態様３において、上記制御部３０は、上記顔検出部４０の顔検出結果に基づき上記第１撮像部（副撮像部２０）に設けられた光学系を用いて合焦位置を算出し、算出した合焦位置に上記第２撮像部（主撮像部１０）に設けられた光学系を調整する構成であってもよい。
【００６６】
上記の構成によれば、副撮像部２０の露出を主撮像部１０の露出よりも高くした状態において副撮像部２０によってＡＦ動作を行うことにより、主撮像部１０による撮像時に低照度であったとしても主撮像部１０においてＡＦのピントが合いやすくなる。
【００６７】
本発明の態様７に係る撮像処理装置５０は、上記態様１から６において、上記顔検出部４０には、上記第１撮像部（副撮像部２０）が撮像した画像から笑顔を検出する笑顔検出部４１が設けられており、上記制御部３０は、上記笑顔検出部４１によって笑顔が検出されたタイミングで、顔に適正露出となるよう上記第２撮像部（主撮像部１０）を制御して撮像させる構成であってもよい。
【００６８】
上記の構成によれば、笑顔を検出したタイミングで、顔にピントおよび露出を合わせた最適な画像を取得することができる。
【００６９】
本発明の態様８に係る電子機器（二眼式撮像装置１）は、上述の撮像処理装置５０と、第１撮像部（副撮像部２０）と、第２撮像部（主撮像部１０）とを備えている。
【００７０】
上記の構成によれば、上述の撮像処理装置５０と同様の効果を奏する。
【００７１】
本発明の態様９に係る撮像処理方法は、被写体を撮像する第１撮像部が撮像した画像から顔を検出する顔検出工程と、上記顔検出工程による顔の検出結果に基づき、上記第１撮像部とは異なる第２撮像部による被写体の撮像を行うように制御する制御工程とを備えている。
【００７２】
これにより、上述の撮像処理装置５０と同様の効果を奏する。
【００７３】
本発明の態様１０に係る撮像処理装置制御プログラムは、コンピュータを撮像処理装置５０の上記の各部として機能させるための撮像処理装置制御プログラムである。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７５】
１  二眼式撮像装置（電子機器）
１０  主撮像部（第２撮像部）
２０  副撮像部（第１撮像部）
３０  制御部
３１  撮影制御部（制御部）
３２  画像処理部（制御部）
４０  顔検出部
４１  笑顔検出部
５０  撮像処理装置
６０  表示部
【図１】
2017208991.tif 000003
【図２】
2017208991.tif 000004
【図３】
2017208991.tif 000005
【図４】
2017208991.tif 000006
【図５】
2017208991.tif 000007
【国際調査報告】
2017208991.tif 000008
2017208991.tif 000009
2017208991.tif 000010